(57)【要約】      （修正有）【課題】筆記具のレフィルを保護できる、安価な包装体を提供すること。【解決手段】包装体１は、所謂合掌袋や三方袋と呼ばれるフィルム袋であり、一対の又は一枚のフィルムを溶着することで構成される。フィルムが一体に張り合わされた袋体１１と、袋体１１の一部を溶着して構成され、筆記具のレフィル１００が挿入されて保持される保持部１３と、を備えることで、レフィル１００を保護する安価な包装体１。【選択図】図１
2019202811.tif 000002
【特許請求の範囲】
【請求項１】
フィルムが一体に張り合わされた袋体と、
前記袋体の一部を溶着して構成され、筆記具のレフィルが挿入され、前記レフィルの一部を保持する保持部と、
を備える包装体。
【請求項２】
前記保持部は、前記レフィルの保持する部位から前記レフィルの先端までの距離よりも前記袋体の端部から離れた位置に設けられる請求項１に記載の包装体。
【請求項３】
前記レフィルは、一部に径又は幅が異なる段部を有し
前記保持部は、前記レフィルの前記段部に係合する幅に構成される、請求項２に記載の包装体。
【請求項４】
前記レフィルは、チップ、及び、前記チップに設けられ前記チップの外径よりも外径が大きく形成されたパイプを備え、
前記保持部は、前記チップが挿入されるとともに、前記チップ及び前記パイプの間に生じる前記段部に係合する、請求項３に記載の包装体。
【請求項５】
前記レフィルは、チップと、前記チップに設けられたパイプと、前記パイプの外周面に設けられ、バネの座を構成する潰しと、を備え、
前記保持部は、前記パイプが挿入されるとともに、前記パイプ及び前記潰しに係合する、請求項３に記載の包装体。
【請求項６】
前記レフィルは、チップ、及び、前記チップに設けられ、前記チップの外径と同じ外径を有するパイプを備え、
前記保持部は、前記レフィルが圧入される幅を有する、請求項２に記載の包装体。
【請求項７】
前記レフィルは、先端に向かって縮径するチップ、及び、前記チップに設けられたパイプを備え、
前記保持部は、前記チップの縮径する外周面の一部と係合する幅に形成される、請求項２に記載の包装体。
【発明の詳細な説明】
【技術分野】
【０００１】
本発明は、筆記具のレフィルを包装する包装体に関する。
【背景技術】
【０００２】
従前から、筆記具としてボールペンが知られている。このようなボールペンやボールペンに用いられるレフィルは、先端にインクを紙葉類に供給するボールを含むチップが設けられている。このようなチップは、スムースにボールを紙葉類上で回転させて筆記できるように、高い精密性が要される。このようなボールペンやレフィルは、収容箱やフィルムにより形成された包装体（例えば、特許文献１参照）に収容されて搬送され、収容された状態か、又は、棚に陳列した状態で販売が行われる。
【０００３】
このため、ボールペンやレフィルを搬送及び販売するにあたり、チップ先端を保護する必要がある。例えば、ボールペンの内部にチップを収容する方法や、キャップを設けてチップを覆う方法が知られている。しかしながら、展示販売を行うにあたり、チップ先端がボールペンから突出した状態となることや、キャップを設けられない構成のボールペンがある。また、レフィルは、包装体に収容されて搬送及び販売されることが主である。
【０００４】
このようなことから、チップに外力が印加されると、スムースにボールが回らなくなり、筆記不能に至る場合もある。そこで、チップのボールを含む先端にホットメルトを付ける技術が用いられている。また、ホットメルトによってボールを含む先端を保護することで、チップの先端からインクが漏れることを防止できる。特に、レフィルを包装体に収容したときに、チップの先端か包装体の端部に接触すると、毛管現象によってインクが漏れる虞があるが、ホットメルトで保護することで、直接レフィルを包装体に収容しても、包装体内でレフィルからインクが漏れることを防止できる。
【先行技術文献】
【特許文献】
【０００５】
【特許文献１】特開２０１２−１６６８２３号公報
【発明の概要】
【発明が解決しようとする課題】
【０００６】
しかしながら、ホットメルトは、取り外すことが容易で有り、且つ、取り外したときにチップの先端に残存することを防止するために、チップとの固着強度が適正なことが求められる。また、ホットメルトは、小さすぎるとチップ先端から外れやすくなり、また、大きすぎると、ボールペンに組み込んだときに、ボールペン先端からチップが突出する孔と干渉する。
【０００７】
このため、ホットメルトをチップに設けるために、材料、溶解温度、ホットメルト溶解液に浸漬する幅及び時間等を制御する必要があり、設備コスト、製造コスト等を要する。しかしながら、ホットメルトに変わるレフィルを保護する部材を用いると、ホットメルトと同様に設備コストや製造コストが増加するため、安価で、ホットメルトを用いなくても、先端を保護できるレフィルの包装体が求められている。
【０００８】
そこで本発明は、筆記具のレフィルを保護できる、安価な包装体を提供することを目的とする。
【課題を解決するための手段】
【０００９】
本発明の一態様に係る包装体は、フィルムが一体に張り合わされた袋体と、前記袋体の一部を溶着して構成され、筆記具のレフィルが挿入され、前記レフィルの一部を保持する保持部と、を備える。
【発明の効果】
【００１０】
本発明によれば、筆記具のレフィルを保護できる、安価な包装体を提供することができる。
【図面の簡単な説明】
【００１１】
【図１】本発明の第１の実施形態に係る包装体の構成を模式的に示す説明図。
【図２】同包装体に用いられるレフィルの構成を示す平面図。
【図３】同包装体の要部構成を示す断面図。
【図４】本発明の第２の実施形態に係る包装体の構成を模式的に示す説明図。
【図５】本発明の第３の実施形態に係る包装体の構成を模式的に示す説明図。
【図６】本発明の第４の実施形態に係る包装体の構成を模式的に示す説明図。
【図７】本発明の第５の実施形態に係る包装体の構成を模式的に示す説明図。
【図８】同包装体に用いられるレフィルの構成を示す平面図。
【図９】本発明の第６の実施形態に係る包装体の構成を模式的に示す説明図。
【図１０】本発明の第７の実施形態に係る包装体の構成を模式的に示す説明図。
【図１１】同包装体に用いられるレフィルの構成を示す平面図。
【図１２】本発明の第８の実施形態に係る包装体の構成を模式的に示す説明図。
【発明を実施するための形態】
【００１２】
（第１の実施形態）
以下、図１乃至図３を用いて、本発明の第１の実施形態に係る包装体１の構成を説明する。
【００１３】
図１は、本発明の第１の実施形態に係る包装体１の構成を模式的に示す説明図であり、図２は、包装体１に用いられるレフィル１００の構成を示す平面図である。また、図３は、包装体１の保持部１３及び保持部１３に保持されたレフィル１００の構成を示す断面図である。
【００１４】
図１に示すように、包装体１は、レフィル１００を収容し、そして保持する袋である。包装体１は、例えば、延伸ポリプロピレン（ＯＰＰ）のフィルム５０により形成される。
【００１５】
ここで、レフィル１００は、筆記具の替え芯、例えば、ボールペンの替え芯である。図２に示すように、レフィル１００は、インクが充填されるパイプ１０１と、パイプ１０１の一端に設けられたチップ１０２と、を備えている。
【００１６】
パイプ１０１は、例えば、中途部に、コイルバネを支持する座を構成する潰し１０１ａを有する。パイプ１０１の外径φＤ１は、チップ１０２の最大外径φＤ２よりも大きく構成される。これにより、レフィル１００は、チップ１０２とパイプ１０１との外径の差によって生じる段部を含む。潰し１０１ａの幅は、パイプ１０１の外径φＤ１よりも大きく構成される。
【００１７】
チップ１０２は、例えば、先端からパイプ１０１に向かって中途部までの外径が漸次拡径するとともに、中途部からパイプ１０１までの外径が同一径に構成される。また、チップ１０２は、先端に開口を有し、ボール１０２ａが回転可能に設けられる。
【００１８】
図１及び図３に示すように、包装体１は、一端が開口し、他端が閉塞する袋体１１と、袋体１１の一端を覆うカバー１２と、袋体１１の一部に設けられた保持部１３と、袋体１１の一端に設けられた吊下部１４と、を備える。包装体１は、一対の又は一枚のフィルム５０を溶着することで構成される。
【００１９】
袋体１１は、所謂合掌袋や三方袋と呼ばれるフィルム袋である。袋体１１は、一方向に長い矩形の袋状である。袋体１１は、長手方向に沿った縁、及び、長手方向で一端側の短手方向に沿った縁が溶着されることで構成される。袋体１１の一端は、収容するレフィル１００を出し入れする
カバー１２は、袋体１１の開口する一端に設けられる。カバー１２は、一端が袋体１１の開口する一端側の一方のフィルム５０に一体に連続して設けられ、袋体１１の開口を開閉する。カバー１２は、例えば、袋体１１に接着するための接着剤層を有し、袋体１１に貼付される。
【００２０】
保持部１３は、袋体１１の一部を溶着することで形成される。保持部１３は、袋体１１の長手方向に沿った中心に対して対称形状に形成される。保持部１３は、例えば、袋体１１の長手方向に沿った中心に向かって袋体１１の開口する一端側の端部が傾斜する台形状の一対の溶着部１３ａにより構成される。一対の溶着部１３ａは、袋体１１の短手方向に所定の間隙を有して袋体１１に設けられる。
【００２１】
保持部１３は、一対の溶着部１３ａの間の距離が、チップ１０２とパイプ１０１とにより構成されるレフィル１００の段部と係合可能な長さに構成される。換言すると、保持部１３は、チップ１０２を挿入可能な長さであって、且つ、パイプ１０１が挿入できない長さに構成される。保持部１３は、袋体１１の閉塞する一端から袋体１１の開口する端部に向かって所定の範囲に設けられる。
【００２２】
保持部１３は、レフィル１００を保持する部位、本実施形態においては、一対の溶着部１３ａの袋体１１の開口する一端側の端部から袋体１１の閉塞する他端までの距離が、レフィル１００の保持される部位、本実施形態においてはチップ１０２とパイプ１０１との段部からチップ１０２の先端までの距離よりも長く構成される。保持部１３の一対の溶着部１３ａ間は、チップ１０２が挿入されることで、略円形状の開口を構成する。
【００２３】
吊下部１４は、孔部１４ａを有する。孔部１４ａは、陳列棚等に設けられたフック等が挿通されることで、包装体１を吊り下げるための開口である。吊下部１４には、例えば、商品等の情報が印刷された表示部を構成する。
【００２４】
このように構成された包装体１によれば、レフィル１００を袋体１１の一端の開口から収容し、チップ１０２を保持部１３の一対の溶着部１３ａ間に配置することで、チップ１０２が保持部１３に保持されるとともに、一対の溶着部１３ａの端部がレフィル１００のチップ１０２及びパイプ１０１に生じる段部と係合する。これにより、包装体１は、レフィル１００を保持できるとともに、レフィル１００が包装体１の閉塞する一端側へ移動することを規制できる。
【００２５】
また、保持部１３は、チップ１０２が溶着部１３ａに挿入されると、円筒状の空間を形成する。これにより、チップ１０２の先端が袋体１１を構成するフィルム５０の内表面から離間するため、チップ１０２のボール１０２ａが袋体１１及び保持部１３に接触することを防止できる。結果、ボール１０２ａが袋体１１及び保持部１３に接触することで、毛管現象等によりチップ１０２の先端からインクが漏洩することを防止できる。
【００２６】
さらに、チップ１０２の先端が袋体１１及び保持部１３から離間することから、レフィル１００を収容し、陳列や搬送をするときに、チップ１０２の先端に外力が印加することを防止できる。結果、収容するレフィル１００のチップ１０２を保護することができる。
【００２７】
加えて、保持部１３は、フィルム５０から溶着により袋体１１を成形するときに、溶着によって成形できることから、製造コストを増加させることがない。結果、包装体１は安価に製造することができる。
【００２８】
上述したように、本発明の第１の実施形態に係る包装体１によれば、筆記具のレフィル１００を保護できるとともに、安価に製造できる。
【００２９】
（第２の実施形態）
次に、図４を用いて、第２の実施形態に係る包装体１Ａの構成を説明する。図４は、第２の実施形態に係る包装体１Ａの構成を示す説明図である。なお、第２の実施形態に係る包装体１Ａの構成のうち、上述した第１の実施形態に係る包装体１と同様の構成には同一符号を付し、その詳細な説明は省略する。
【００３０】
図４に示すように、包装体１Ａは、レフィル１００を収容し、そして保持する袋である。包装体１Ａは、例えば、延伸ポリプロピレン（ＯＰＰ）のフィルム５０により形成される。
【００３１】
包装体１Ａは、袋体１１と、カバー１２と、袋体１１の一部に設けられた保持部１３Ａと、吊下部１４と、を備える。
【００３２】
保持部１３Ａは、袋体１１の一部を溶着することで形成される。保持部１３Ａは、袋体１１の長手方向に沿った中心に対して対称形状に形成される。保持部１３Ａは、例えば、袋体１１の長手方向に沿った中心に向かって袋体１１の開口する一端側の端部が傾斜する台形状の一対の溶着部１３ａにより構成される。一対の溶着部１３ａは、袋体１１の短手方向に所定の間隙を有して袋体１１に設けられる。
【００３３】
保持部１３Ａは、一対の溶着部１３ａの間の距離が、チップ１０２とパイプ１０１とにより構成されるレフィル１００の段部と係合可能な長さに構成される。換言すると、保持部１３Ａは、チップ１０２を挿入可能な長さであって、且つ、パイプ１０１が挿入できない長さの間隙を一対の溶着部１３ａの間に有する。保持部１３Ａは、袋体１１の閉塞する一端から離間した位置から袋体１１の開口する端部に向かって所定の範囲に設けられる。
【００３４】
保持部１３Ａは、レフィル１００を保持する部位、本実施形態においては、一対の溶着部１３ａの袋体１１の開口する一端側の端部から袋体１１の閉塞する他端までの距離が、レフィル１００の保持される部位、本実施形態においてはチップ１０２とパイプ１０１との段部からチップ１０２の先端までの距離よりも長く構成される。保持部１３Ａの一対の溶着部１３ａ間は、チップ１０２が挿入されることで、略円形状の開口を構成する。
【００３５】
このような第２の実施形態に係る包装体１Ａは、保持部１３Ａが袋体１１の閉塞する端部から離間した位置に設けられる構成、及び、一対の溶着部１３ａの袋体１１の長手方向の長さが上述した包装体１と異なる。
【００３６】
このように構成された包装体１Ａは、上述した第１の実施形態に係る包装体１と同様に、筆記具のレフィル１００を保護できるとともに、安価に製造できる。
【００３７】
（第３の実施形態）
次に、図５を用いて、第３の実施形態に係る包装体１Ｂの構成を説明する。図５は、第３の実施形態に係る包装体１Ｂの構成を示す説明図である。なお、第３の実施形態に係る包装体１Ｂの構成のうち、上述した第１の実施形態に係る包装体１及び第２の実施形態に係る包装体１Ａと同様の構成には同一符号を付し、その詳細な説明は省略する。
【００３８】
図５に示すように、包装体１Ｂは、レフィル１００を収容し、そして保持する袋である。包装体１Ｂは、例えば、延伸ポリプロピレン（ＯＰＰ）のフィルム５０により形成される。
【００３９】
包装体１Ｂは、袋体１１と、カバー１２と、袋体１１の一部に設けられた保持部１３Ｂと、吊下部１４と、を備える。
【００４０】
保持部１３Ｂは、袋体１１の一部を溶着することで形成される。保持部１３Ｂは、袋体１１の長手方向に沿った中心に対して対称形状に形成される。保持部１３Ｂは、例えば、袋体１１の長手方向に沿った中心に向かって袋体１１の開口する一端側の端部が傾斜する台形枠状の一対の溶着部１３ａにより構成される。一対の溶着部１３ａは、袋体１１の短手方向に所定の間隙を有して袋体１１に設けられる。
【００４１】
保持部１３Ｂは、一対の溶着部１３ａの間の距離が、チップ１０２とパイプ１０１とにより構成されるレフィル１００の段部と係合可能な長さに構成される。換言すると、保持部１３Ｂは、チップ１０２を挿入可能な長さであって、且つ、パイプ１０１が挿入できない長さの間隙を一対の溶着部１３ａの間に有する。保持部１３Ｂは、袋体１１の閉塞する一端から離間した位置から袋体１１の開口する端部に向かって所定の範囲に設けられる。
【００４２】
保持部１３Ｂは、レフィル１００を保持する部位、本実施形態においては、一対の溶着部１３ａの袋体１１の開口する一端側の端部から袋体１１の閉塞する他端までの距離が、レフィル１００の保持される部位、本実施形態においてはチップ１０２とパイプ１０１との段部からチップ１０２の先端までの距離よりも長く構成される。保持部１３Ｂの一対の溶着部１３ａ間は、チップ１０２が挿入されることで、略円形状の開口を構成する。
【００４３】
このような第２の実施形態に係る包装体１Ｂは、保持部１３Ｂを構成する一対の溶着部１３ａが枠状である構成が、上述した包装体１及び包装体１Ａと異なる。
【００４４】
このように構成された包装体１Ｂは、上述した第１の実施形態に係る包装体１及び第２の実施形態に係る包装体１Ａと同様に、筆記具のレフィル１００を保護できるとともに、安価に製造できる。
【００４５】
（第４の実施形態）
次に、図６を用いて、第４の実施形態に係る包装体１Ｃの構成を説明する。図６は、第４の実施形態に係る包装体１Ｃの構成を示す説明図である。なお、第４の実施形態に係る包装体１Ｃの構成のうち、上述した第１の実施形態に係る包装体１と同様の構成には同一符号を付し、その詳細な説明は省略する。
【００４６】
図４に示すように、包装体１Ｃは、レフィル１００を収容し、そして保持する袋である。包装体１Ｃは、例えば、延伸ポリプロピレン（ＯＰＰ）のフィルム５０により形成される。
【００４７】
包装体１Ｃは、袋体１１と、カバー１２と、袋体１１の一部に設けられた保持部１３Ｃと、吊下部１４と、を備える。
【００４８】
保持部１３Ｃは、袋体１１の一部を溶着することで形成される。保持部１３Ｃは、袋体１１の長手方向に沿った中心に対して対称形状に形成される。保持部１３Ｃは、例えば、袋体１１の長手方向に沿った中心に向かって袋体１１の開口する一端側の端部が傾斜する台形枠状の一対の溶着部１３ａにより構成される。一対の溶着部１３ａは、袋体１１の短手方向に所定の間隙を有して袋体１１に設けられる。
【００４９】
保持部１３Ｃは、一対の溶着部１３ａの間の距離が、チップ１０２とパイプ１０１とにより構成されるレフィル１００の段部と係合可能な長さに構成される。換言すると、保持部１３Ｃは、チップ１０２を挿入可能な長さであって、且つ、パイプ１０１が挿入できない長さに構成される。保持部１３Ｃは、袋体１１の閉塞する一端から袋体１１の開口する端部に向かって所定の範囲に設けられる。
【００５０】
保持部１３Ｃは、レフィル１００を保持する部位、本実施形態においては、一対の溶着部１３ａの袋体１１の開口する一端側の端部から袋体１１の閉塞する他端までの距離が、レフィル１００の保持される部位、本実施形態においてはチップ１０２とパイプ１０１との段部からチップ１０２の先端までの距離よりも長く構成される。保持部１３の一対の溶着部１３ａ間は、チップ１０２が挿入されることで、略円形状の開口を構成する。
【００５１】
このような第４の実施形態に係る包装体１Ｃは、保持部１３Ｃを構成する一対の溶着部１３ａが枠状である構成が上述した包装体１乃至包装体１Ｂと異なる。
【００５２】
このように構成された包装体１Ｃは、上述した各実施形態に係る包装体１乃至包装体１Ｂと同様に、筆記具のレフィル１００を保護できるとともに、安価に製造できる。
【００５３】
（第５の実施形態）
次に、図７及び図８を用いて、第５の実施形態に係る包装体１Ｄの構成を説明する。図７は、第５の実施形態に係る包装体１Ｄの構成を示す説明図である。なお、第５の実施形態に係る包装体１Ｄの構成のうち、上述した各実施形態に係る包装体１、１Ａ、１Ｂ、１Ｃと同様の構成には同一符号を付し、その詳細な説明は省略する。
【００５４】
図７に示すように、包装体１Ｄは、レフィル１００Ａを収容し、そして保持する袋である。包装体１Ｄは、例えば、延伸ポリプロピレン（ＯＰＰ）のフィルム５０により形成される。
【００５５】
ここで、レフィル１００Ａは、筆記具の替え芯、例えば、ボールペンの替え芯である。図８に示すように、レフィル１００Ａは、インクが充填されるパイプ１０１Ａと、パイプ１０１Ａの一端に設けられたチップ１０２と、を備えている。
【００５６】
パイプ１０１Ａの外径φＤ１は、チップ１０２の最大外径φＤ２と同一径に構成される。なお、レフィル１００Ａは、段部を含まない。
【００５７】
包装体１Ｄは、袋体１１と、カバー１２と、袋体１１の一部に設けられた保持部１３Ｄと、吊下部１４と、を備える。
【００５８】
保持部１３Ｄは、袋体１１の一部を溶着することで形成される。保持部１３Ｄは、袋体１１の長手方向に沿った中心に対して対称形状に形成される。保持部１３Ｄは、例えば、袋体１１の長手方向に沿った中心に向かって袋体１１の開口する一端側の端部が傾斜する台形状の一対の溶着部１３ａにより構成される。一対の溶着部１３ａは、袋体１１の短手方向に所定の間隙を有して袋体１１に設けられる。
【００５９】
保持部１３Ｄは、一対の溶着部１３ａの間の距離が、パイプ１０１Ａ及びチップ１０２が圧入可能、且つ、圧入したときに位置するパイプ１０１又はチップ１０２を保持可能な長さに設定される。換言すると、保持部１３Ｄは、パイプ１０１Ａ及びチップ１０２を挿入可能な長さであって、且つ、挿入されて配置されたパイプ１０１Ａ又はチップ１０２を保持可能な長さの間隙を一対の溶着部１３ａの間に有する。保持部１３Ｄは、袋体１１の閉塞する一端から離間した位置から袋体１１の開口する端部に向かって所定の範囲に設けられる。
【００６０】
保持部１３Ｄは、一対の溶着部１３ａの袋体１１の閉塞する他端側の端部から袋体１１の閉塞する他端までの距離が、保持部１３Ｄにより保持されるレフィル１００の部位、本実施形態においては、パイプ１０１Ａの中央よりもチップ１０２側の一部からチップ１０２の先端までの距離よりも長く構成される。保持部１３Ｄの一対の溶着部１３ａ間は、パイプ１０１Ａ及びチップ１０２が圧入されることで、略円形状の開口を構成する。
【００６１】
このような第５の実施形態に係る包装体１Ｄは、保持部１３Ｄが袋体１１の閉塞する端部から離間した位置に設けられる構成、及び、一対の溶着部１３ａの間隙の袋体１１の短手方向の長さが、パイプ１０１Ａを圧入できる長さを有する構成が上述した各包装体１乃至包装体１Ｃと異なる。
【００６２】
このように構成された包装体１Ｄは、上述した各実施形態に係る包装体１乃至包装体１Ｃと同様に、筆記具のレフィル１００を保護できるとともに、安価に製造できる。
【００６３】
（第６の実施形態）
次に、図９を用いて、第６の実施形態に係る包装体１Ｅの構成を説明する。図９は、第６の実施形態に係る包装体１Ｅの構成を示す説明図である。なお、第６の実施形態に係る包装体１Ｅの構成のうち、上述した第５の実施形態に係る包装体１Ｄと同様の構成には同一符号を付し、その詳細な説明は省略する。
【００６４】
図９に示すように、包装体１Ｅは、レフィル１００Ａを収容し、そして保持する袋である。包装体１Ｅは、例えば、延伸ポリプロピレン（ＯＰＰ）のフィルム５０により形成される。
【００６５】
包装体１Ｅは、袋体１１と、カバー１２と、袋体１１の一部に設けられた保持部１３Ｅと、吊下部１４と、を備える。
【００６６】
保持部１３Ｅは、袋体１１の一部を溶着することで形成される。保持部１３Ｅは、袋体１１の長手方向に沿った中心に対して対称形状に形成される。保持部１３Ｅは、例えば、袋体１１の長手方向に沿った中心に向かって袋体１１の開口する一端側の端部が傾斜する台形状の一対の第１溶着部１３ａ、及び、袋体１１の長手方向に沿った中心に向かって袋体１１の開口する一端側の端部が傾斜し、そして、一対の第１溶着部１３ａよりも袋体１１の開口する一端側に設けられた台形状の一対の第２溶着部１３ｂにより構成される。
【００６７】
一対の第１溶着部１３ａは、袋体１１の短手方向に所定の間隙を有して袋体１１に設けられる。一対の第１溶着部１３ａの間の距離は、チップ１０２の先端側の拡径する部位の中途部、換言すると、チップ１０２の傾斜面の一部と係合可能な長さに設定される。換言すると、一対の第１溶着部１３ａは、チップ１０２の先端の一部を挿入可能な長さであって、且つ、チップ１０２の傾斜面を保持可能な長さの間隙を一対の溶着部１３ａの間に有する。一対の第１溶着部１３ａは、袋体１１の閉塞する一端から離間した位置から袋体１１の開口する端部に向かって所定の範囲に設けられる。
【００６８】
なお、一対の第１溶着部１３ａは、袋体１１の開口する一端側の端部から袋体１１の閉塞する他端までの距離が、一対の第１溶着部１３ａにより保持されるチップ１０２の長さよりも長く構成される。
【００６９】
一対の第２溶着部１３ｂは、袋体１１の短手方向に所定の間隙を有して袋体１１に設けられる。一対の第２溶着部１３ｂの間の距離は、パイプ１０１Ａ及びチップ１０２が圧入可能、且つ、圧入したときに位置するパイプ１０１を保持可能な長さに設定される。換言すると、一対の第２溶着部１３ｂは、パイプ１０１Ａ及びチップ１０２を挿入可能な長さであって、且つ、挿入されて配置されたパイプ１０１Ａを保持可能な長さの間隙を一対の第２溶着部１３ｂの間に有する。一対の第２溶着部１３ｂは、一対の第１溶着部１３ａと所定の距離だけ離間して設けられる。保持部１３Ｅの一対の溶着部１３ａ、１３ｂ間は、パイプ１０１Ａ及びチップ１０２が挿入されることで、略円形状の開口を構成する。
【００７０】
なお、一対の第２溶着部１３ｂの間隙の端手方向の距離は、パイプ１０１Ａ及びチップ１０２を圧入可能な長さでなく、挿入可能な長さであってもよい。
【００７１】
このような第６の実施形態に係る包装体１Ｅは、保持部１３Ｅが一対の第１溶着部１３ａ及び第２溶着部１３ｂを有し、そして、一対の第１溶着部１３ａがチップ１０２の先端を保持する構成が上述した各包装体１乃至包装体１Ｄと異なる。
【００７２】
このように構成された包装体１Ｅは、上述した各実施形態に係る包装体１乃至包装体１Ｄと同様に、筆記具のレフィル１００を保護できるとともに、安価に製造できる。
【００７３】
（第７の実施形態）
次に、図１０及び図１１を用いて、第７の実施形態に係る包装体１Ｆの構成を説明する。図１０は、第７の実施形態に係る包装体１Ｆの構成を示す説明図である。なお、第７の実施形態に係る包装体１Ｆの構成のうち、上述した各実施形態に係る包装体１乃至包装体１Ｅと同様の構成には同一符号を付し、その詳細な説明は省略する。
【００７４】
図１０に示すように、包装体１Ｆは、レフィル１００Ｂを収容し、そして保持する袋である。包装体１Ｆは、例えば、延伸ポリプロピレン（ＯＰＰ）のフィルム５０により形成される。
【００７５】
ここで、レフィル１００Ｂは、筆記具の替え芯、例えば、ボールペンの替え芯である。図８に示すように、レフィル１００Ｂは、潰し１０１ａを有し、インクが充填されるパイプ１０１Ｂと、パイプ１０１Ｂの一端に設けられたチップ１０２と、を備えている。
【００７６】
パイプ１０１Ｂの外径φＤ１は、チップ１０２の最大外径φＤ２と同一径に構成される。なお、レフィル１００Ｂは、パイプ１０１Ｂと潰し１０１ａとの間に段部が生じる。
【００７７】
包装体１Ｆは、袋体１１と、カバー１２と、袋体１１の一部に設けられた保持部１３Ｆと、吊下部１４と、を備える。
【００７８】
保持部１３Ｆは、袋体１１の一部を溶着することで形成される。保持部１３Ｆは、袋体１１の長手方向に沿った中心に対して対称形状に形成される。保持部１３Ｆは、例えば、袋体１１の長手方向に沿った中心に向かって袋体１１の開口する一端側の端部が傾斜する台形状の一対の溶着部１３ａにより構成される。一対の溶着部１３ａは、袋体１１の短手方向に所定の間隙を有して袋体１１に設けられる。
【００７９】
保持部１３Ｆは、一対の溶着部１３ａの間の距離が、パイプ１０１Ｂと潰し１０１ａとにより構成されるレフィル１００Ｂの段部と係合可能な長さに構成される。換言すると、保持部１３Ｆは、パイプ１０１Ｂ及びチップ１０２を挿入可能な長さであって、且つ、潰し１０１ａが挿入できない長さに構成される。保持部１３Ｆは、袋体１１の閉塞する一端から袋体１１の開口する端部に向かって所定の範囲に設けられる。
【００８０】
保持部１３Ｆは、レフィル１００Ｂを保持する部位、本実施形態においては、一対の溶着部１３ａの袋体１１の開口する一端側の端部から袋体１１の閉塞する他端までの距離が、レフィル１００Ｂの保持される部位、本実施形態においてはパイプ１０１Ｂと潰し１０１ａとの段部からチップ１０２の先端までの距離よりも長く構成される。保持部１３Ｆの一対の溶着部１３ａ間は、パイプ１０１Ｂが挿入されることで、略円形状の開口を構成する。
【００８１】
このような第７の実施形態に係る包装体１Ｆは、保持部１３Ｆが袋体１１の閉塞する端部から離間した位置に設けられる構成、及び、一対の溶着部１３ａの間隙の袋体１１の短手方向の長さが、パイプ１０１Ｂ及び潰し１０１ａにより生じる段部と係合できる長さを有する構成が上述した各包装体１乃至包装体１Ｅと異なる。
【００８２】
このように構成された包装体１Ｆは、上述した各実施形態に係る包装体１乃至包装体１Ｅと同様に、筆記具のレフィル１００を保護できるとともに、安価に製造できる。
【００８３】
（第８の実施形態）
次に、図１２を用いて、第８の実施形態に係る包装体１Ｇの構成を説明する。図１２は、第８の実施形態に係る包装体１Ｇの構成を示す説明図である。なお、第８の実施形態に係る包装体１Ｇの構成のうち、上述した第７の実施形態に係る包装体１Ｆと同様の構成には同一符号を付し、その詳細な説明は省略する。
【００８４】
図１２に示すように、包装体１Ｇは、レフィル１００Ｂを収容し、そして保持する袋である。包装体１Ｇは、例えば、延伸ポリプロピレン（ＯＰＰ）のフィルム５０により形成される。
【００８５】
包装体１Ｇは、袋体１１と、カバー１２と、袋体１１の一部に設けられた保持部１３Ｇと、吊下部１４と、を備える。
【００８６】
保持部１３Ｇは、袋体１１の一部を溶着することで形成される。保持部１３Ｇは、袋体１１の長手方向に沿った中心に対して対称形状に形成される。保持部１３Ｇは、例えば、袋体１１の長手方向に沿った中心に向かって袋体１１の開口する一端側の端部が傾斜する台形状の一対の第１溶着部１３ａ、及び、袋体１１の長手方向に沿った中心に向かって袋体１１の開口する一端側の端部が傾斜し、そして、一対の第１溶着部１３ａよりも袋体１１の開口する一端側に設けられた台形状の一対の第２溶着部１３ｂにより構成される。
【００８７】
一対の第１溶着部１３ａは、上述した第６の実施形態の一対の第１溶着部１３ａと同じ構成であり、このため、詳細な説明は省略する。また、一対の第２溶着部１３ｂは、上述した第７の実施形態の一対の溶着部１３ａと同じ構成であり、このため、詳細な説明は省略する。
【００８８】
即ち、第８の実施形態に係る包装体１Ｇは、第６の実施形態の一対の第１溶着部１３ａと第７の実施形態の一対の第２溶着部１３ｂを組み合わせた構成であり、このような第８の実施形態に係る包装体１Ｇは、上述した各実施形態に係る包装体１乃至包装体１Ｆと同様に、筆記具のレフィル１００を保護できるとともに、安価に製造できる。
【００８９】
なお、本発明は、上記実施形態に限定されない。例えば、第７の実施形態及び第８の実施形態の包装体１Ｆ、１Ｇは、レフィル１００に用いることもできる。また、各実施形態に記載した各保持部１３乃至保持部１３Ｇの各溶着部１３ａ、１３ｂは、保持部１３Ｇのように、種々組み合わせて袋体１１に設けてもよく、また、例えば、保持部１３Ｅ及び保持部１３Ｇの一対の第１溶着部１３ａのみを保持部として備える構成であってもよい。
【００９０】
また、上述した例では、筆記具のレフィル１００、１００Ａ、１００Ｂはボールペンのレフィルとして説明したが、これに限定されず、例えば、多色ボールペンの１色をシャープペンシルにするために用いられるシャープペンシルのレフィルであってもよく、また、他の筆記具のレフィルであってもよい。即ち、レフィルの一部に外径又は幅が異なることによって生じる段部を有する場合には、包装体は保持部によって当該段部を保持すればよく、またレフィルの一部に段部を有さない場合には、包装体は保持部にレフィルの一部を圧入させて保持すればよい。
【００９１】
即ち、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
【符号の説明】
【００９２】
１、１Ａ、１Ｂ、１Ｃ、１Ｄ、１Ｅ、１Ｆ、１Ｇ…包装体、１１…袋体、１２…カバー、１３…保持部、１３ａ…溶着部、第１溶着部、１３ｂ…第２溶着部、１３Ａ、１３Ｂ、１３Ｃ、１３Ｄ、１３Ｅ、１３Ｆ、１３Ｇ…保持部、１４…吊下部、１４ａ…孔部、５０…フィルム、１００、１００Ａ、１００Ｂ…レフィル、１０１、１０１Ａ、１０１Ｂ…パイプ、１０２…チップ、１０２ａ…ボール。
【図１】
2019202811.tif 000003
【図２】
2019202811.tif 000004
【図３】
2019202811.tif 000005
【図４】
2019202811.tif 000006
【図５】
2019202811.tif 000007
【図６】
2019202811.tif 000008
【図７】
2019202811.tif 000009
【図８】
2019202811.tif 000010
【図９】
2019202811.tif 000011
【図１０】
2019202811.tif 000012
【図１１】
2019202811.tif 000013
【図１２】
2019202811.tif 000014